(57)【要約】【課題】  雑草を抑制すると共に、雑草の刈り払いの際に苗木まで切断してしまう恐れを無くす。【解決手段】  辺１２の略中央部に設けた第１の切欠１４を有する第１のブロック部材１０と、辺２２の略中央部に設けた第２の切欠２４を有する第２のブロック部材とで、植林された苗木を囲み、第１の切欠１４とで第２の切欠２４とで、苗木用孔を形成して苗木を雑草から保護すると共に、植林用ブロック及びその中心の苗木を容易に目測できるようにすることで苗木の誤切断を防止する。【選択図】図１
2007236316.tif 000002
【特許請求の範囲】
【請求項１】
１辺の略中央部に設けた第１の切欠を有する第１のブロック部材と、１辺の略中央部に設けられ、前記第１の切欠とで苗木用孔を形成する第２の切欠を有する第２のブロック部材とを備えたことを特徴とする植林用ブロック。
【請求項２】
請求項１の第１および第２のブロック部材は、略半ドーナツ形又は多角形を分割した形であることを特徴とする植林用ブロック。
【請求項３】
請求項１の第１及び第２のブロック部材は、繁茂した雑草の中にあっても容易に視認できる程度の大きさがあり、かつ足元の不安定な野外でも素手で容易に持ち運べる程度の大きさであることを特徴とする植林用ブロック。
【請求項４】
請求項１の第１及び第２のブロック部材は、山林原野に設置するため、強風でも動かない程度の重さと設置部分の雑草の生長を抑制できる程度の重さがあり、それでいて足元の不安定な野外でも素手で容易に持ち運べる程度の重さであることを特徴とする植林用ブロック。
【請求項５】
請求項１の第１及び第２のブロック部材は、繁茂した雑草の中にあっても容易に視認できるよう白色系、黄色系などの明るい色、又は赤色系、青色系などの鮮やかな色であることを特徴とする植林用ブロック。
【請求項６】
請求項１の第１及び第２のブロック部材は、設置した上面の途中に集水のための段差ラインを設け、その段差の下段部分に複数の小穴をあけて、苗木の根元やブロックの真下にも効果的に雨水を誘導できることを特徴とする、またこの小穴はブロックを傾斜地に設置する場合にすべり止め用の杭を打ち込む穴としても利用できることを特徴とする植林用ブロック。
【請求項７】
請求項１の第１及び第２のブロック部材は、設置時に隙間が生じにくくするために、ブロック部材が一部重なるように辺に適当な段差をつけることを特徴とする植林用ブロック。
【発明の詳細な説明】
【技術分野】
【０００１】
本発明は、植林用のブロックに関するものである。
【背景技術】
【０００２】
植林のため原野や伐採跡地に植えた小さな苗木は、植林後数年間は、その周囲の雑草を刈り払う必要がある。雑草の刈り払いにはエンジンを具えた草刈機が用いられており、苗木が小さい場合、雑草と苗木を判別して、雑草のみを刈り払う方法がとられている。
一方、草刈りの手間を省くために、植林の際に苗木の回りにシートやフィルムを張る方法なども知られている（例えば、特許公開２０００−９３０１２など）。
【０００３】
しかしながら、苗木が小さい場合、苗木が雑草の中に紛れて判別がし難く、エンジンを具えた草刈機で誤って苗木まで切断する危険性があった。
一方、シートやフィルムを安定的に設置するためには、多数の杭でしっかり止める必要があり、この杭打ち作業に相当の労力が必要になるという課題があった。
【特許文献１】特開平５−２１９８０４号公報
【特許文献２】特開２０００−９３０１２号公報
【特許文献３】実開平５−９１３６５号公報
【発明の開示】
【発明が解決しようとする課題】
【０００４】
解決しようとする問題点は、苗木の成長の妨げとなる雑草が生える点と、その雑草を刈り払う際に苗木まで切除してしまう恐れがある点である。
【課題を解決するための手段】
【０００５】
本発明は、植林された苗木の位置を目視で確認しやすくすると共に、雑草を生えにくくするために、苗木の周囲を複数個のブロック部材からなるブロックで囲むようにすることを最も主要な特徴とする。
【発明の効果】
【０００６】
本発明の植林用ブロックは、複数のブロック部材を植林した苗木の周囲に置くだけで、雑草の抑制が可能であり、万一ブロック周囲の雑草が苗木周囲までつたっても、ブロック自体が目視で容易に見つかるので、エンジンを具えた草刈機での雑草の刈り払いでも苗木を誤って切ってしまうことがほとんどないという利点がある。
【発明を実施するための最良の形態】
【０００７】
雑草を抑制し苗木の位置を確認しやすくするという目的を、複数のブロックを組合せることにより実現した。
【実施例１】
【０００８】
図１は、本発明植林用ブロックの平面図である。符号１０は、第１のブロック部材で、２０は、第２のブロック部材である。なお、本実施例では、ブロック部材を半ドーナツ形として２つ示しているが、これに限らず、形状は多角形を分割した形であってもよいし、個数は３つ以上の複数個であってもよい。
【０００９】
第１のブロック部材１０は、例えばコンクリートからなり、厚さは１〜５ｃｍが、重さは１〜５ｋｇが好ましい。厚さと重さは、耐久性、運搬性及び強風に対する安定性の点を考慮して定められる。厚さ１ｃｍ未満又は重さ１ｋｇ未満では雑草を押さえる力や強風時の安定性が不足するし、厚さ５ｃｍ超又は重さ５ｋｇ超では運搬性が低下するため好ましくない。
【００１０】
第１のブロック部材１０は、半ドーナツ状であり、第１の辺（または弦）１２の略中央部には、第１の切欠１４が設けられている。この第１の切欠１４の周囲には、雨水を集めるための段差１６と１つ以上の通水孔１８（孔の内径１ｃｍ程度）が設けられている。第１の辺１２の長さ、即ち本発明ブロックの外径は２０〜４０ｃｍが好適であり、３０ｃｍ程度が視認性、運搬性の点から最適である。外径が２０ｃｍ未満では雑草の中での視認性が不足し、外径が４０ｃｍを超えると大きくて、重くて運搬性が低下するため好ましくない。またブロック部材の色は、視認性の点から白色系、黄色系、赤色系、青色系などが好適である。
【００１１】
第２のブロック部材２０は、半ドーナツ状であり、第２の辺（または弦）２２の略中央部には、第２の切欠２４が設けられている。この第２の切欠２４の周囲には、雨水を集めるための段差２６と１つ以上の通水孔２８（孔の内径１ｃｍ程度）が設けられている。なお、本実施例では第２のブロック部材２０と第１のブロック部材１０は、１８０度回転しているが、同一の形状である。
【００１２】
第１および第２の切欠１４，２４によって、苗木用孔（内径３〜６ｃｍ程度が好適）が形成され、この苗木用孔に苗木の根元が入るように、第１および第２のブロック部材１０，２０を配置して、植林用ブロックを構成する。第１および第２のブロック部材１０，２０は平板状に限らず、苗木根元の土の盛り上がりにすり合わせ易いように、苗木用孔側を上方に膨らませたが好適である。また、ブロック部材の組み合わせ部分に隙間が生じないように、辺１２と辺２２の部分には段差を設けて上下に重なる部分を設けたが好適である。
【００１３】
本発明の植林用ブロックは、植林した苗木の周囲に置くだけで、雑草の抑制が可能となる。万一、ブロック周囲の雑草が苗木周囲までつたっても、ブロック自体が目視で容易に確認できるので、エンジンを具えた草刈機での雑草刈り払いに際して、苗木を誤切断することはほとんどなくなるという効果がある。
【００１４】
本発明の植林用ブロック部材の材質は、特に限られることはないが、コンクリート、レンガ、石膏、陶磁器、木、紙、合成樹脂などを用いることができる。要は、遮光性があって、目視による確認が容易なものであれば良い。繰り返して利用をする場合の材質は、コンクリートやレンガ、陶磁器が好適である。いわゆる使い捨ての１回だけ使用の場合は、溶解性のある石膏や生分解性を有する木、紙、生分解性プラスチックなどが好ましい。
【産業上の利用可能性】
【００１５】
本発明の植林用ブロックをコンクリートや石膏などで、外径３０ｃｍ程度の大きさ、１個の重量１〜５ｋｇ程度で作成すれば、原野や伐採跡地などへ容易に搬入でき、植林に際して簡単に設置できる。
設置したブロックの直下部分は雑草が抑制され、ブロックの周囲の雑草が伸びても植林した苗木と雑草の判別はブロックの存在により容易になるため草刈作業の能率が高くなる。また、杉やヒノキなどの伝統的な植林は傾斜が大きい土地でもなされるが、そのような場合は通水孔に生分解性のある杭（割り箸など）を打ち込めばブロックを地面に固定することができる。このようにして植林用ブロックを使用することにより、傾斜や雑草など阻害要因が多い原野や伐採跡地における植林事業を容易かつ効率的にし、植林した木によって森を作るという林業に役立てることができる。
【図面の簡単な説明】
【００１６】
【図１】本発明の植林用ブロックの平面図である。
【図２】設置状況を横から見た断面図である。
【符号の説明】
【００１７】
１０    第１のブロック部材
１２    第１の辺
１４    第１の切欠
１６    雨水を集める段差
１８    通水孔
２０    第２のブロック部材
２２    第２の辺弦
２４    第２の切欠
２６    雨水を集める段差
２８    通水孔
【図１】
2007236316.tif 000003
【図２】
2007236316.tif 000004